(57)【要約】【課題】表示部にタッチ入力機能を備え、かつ表示部の周辺に押下式の操作釦を備えた情報端末装置において、操作釦の表面の清掃を均一に行えるようにする。【解決手段】通常の操作釦４〜６の操作は、操作釦ごとに、そのタッチ度数がタッチ度数計数手段１７ａで計数され、タッチ度数記憶手段１７ｂに記憶される。操作釦の清掃モードにおいて、清掃による操作釦の押下数が、タッチ度数記憶手段１７ｂに記憶されたタッチ度数に基づいて決定される所定値に達したことにより、清掃終了として判断し、清掃モードを終了する。【選択図】図２
2010039813.tif 000002
【特許請求の範囲】
【請求項１】
タッチパネルと表示部とが一体に構成され、前記表示部の周辺に操作釦を配置した情報端末装置であって、
前記操作釦にタッチされた度数を計数するタッチ度数計数手段と、
前記タッチ度数計数手段で計数されたタッチ度数を記憶するタッチ度数記憶手段と、
前記タッチパネルを清掃するための清掃モードを備え、
前記清掃モードにおいて、前記タッチパネルの操作と、前記操作釦の操作によるアプリケーションの動作を禁止し、
前記タッチ度数計数手段が計数した前記操作釦のタッチ度数が、所定の回数に達したときに、前記清掃モードを終了させる情報端末装置。
【請求項２】
前記操作釦は複数配置されており、
前記タッチ度数計測手段が計数した複数の前記操作釦ごとのタッチ度数が、それぞれ所定の回数に達したときに、前記清掃モードを終了させる請求項１に記載の情報端末装置。
【請求項３】
前記操作釦ごとの所定回数は、前記清掃モードが開始された時点において、前記タッチ度数記憶手段に記憶された通常モード時の操作釦ごとのタッチ度数に基づいて決定される請求項２に記載の情報端末装置。
【請求項４】
前記清掃モードにおいて、複数の前記操作釦のうちの少なくとも１つが、前記所定の回数に達した時点以降において、所定の回数に達していない操作釦を表示部に表示することを特徴とする請求項２に記載の情報端末装置。
【請求項５】
前記清掃モードの終了は、複数の操作釦の２つ以上が同時に押下されたときに実行される請求項２に記載の情報端末装置。
【発明の詳細な説明】
【技術分野】
【０００１】
本発明は、表示部にタッチ入力機能を備えた情報端末装置に関わり、表示部の表面の清掃を実施するに際し、周辺の操作釦の清掃も行えるようにした情報端末装置に関する。
【背景技術】
【０００２】
近年、ＰＤＡやタブレットパソコン等の携帯型の情報端末装置が急速に普及しつつある。このような携帯型の情報端末装置においては、使用性や小型軽量化の要求からキーボードやマウスなどの使用が難しく、このため、表示部に透明の薄膜電極を配置したタッチパネルを設けてペンや指で操作するようにしたものが多い。
【０００３】
指入力は簡便であるが表示部が汚れ、表示部の視認性が低下する。また、表示部の汚れは雑菌を含み不衛生であることから情報端末装置を病院などの医療機関が使用する場合は定期的に表示部を清掃・殺菌する必要がある。
【０００４】
この表示部の清掃を行う場合、誤動作を避けるために電源スイッチをＯＦＦにする必要がある。
【０００５】
電源をＯＦＦにすると、タッチパネル部が透明のシート状であるため汚れが目立ちにくく、汚れの拭き取りができたかどうかがわかりにくい。
【０００６】
このため、従来から、電源をＯＮにした状態で、掃除モードにおいては、タッチパネルの操作釦を無効にし、表示部の全域を単一色にして、拭き取られた部分を検知して単一色を消去もしくは他の色に変色させて拭き取り部を確認できるようにしたものなどが提案されている。
【０００７】
しかしながら、この種の情報端末装置は、表示部の周辺にも電源スイッチなどのプッシュタイプのスイッチが配置されている。清掃モードでは、このスイッチも清掃するので、スイッチの操作を無効にすることが必要になる。
【０００８】
このタッチパネル部の操作釦やスイッチを無効にする方法して、例えば特許文献１に示すようなものが提案されている。
【０００９】
特許文献１に示すものは、清掃モードが選択された場合、操作釦を、タイマーにより所定時間は無効にして誤動作を防止するようにしたものである。
【特許文献１】特開２０００−１９４５０４号公報
【発明の開示】
【発明が解決しようとする課題】
【００１０】
しかしながら、前述の特許文献１に示すものは、汚れの程度に対しての配慮がなく、タッチ度数の多い箇所では汚れの程度が大きいので、所定時間で、拭き取りしても十分に汚れを除去できない課題があった。
【００１１】
本発明は、上記課題を解決するためになされたもので、操作釦の汚れを均一にかつ、十分に清掃できる情報端末装置を提供することを目的とする。
【課題を解決するための手段】
【００１２】
上述した目的を達成するために、本発明の情報端末装置は、タッチパネルと表示部とが一体に構成され、表示部の周辺に操作釦を配置した情報端末装置であって、操作釦にタッチされた度数を計数するタッチ度数計数手段と、タッチ度数計数手段で計数されたタッチ度数を記憶するタッチ度数記憶手段と、タッチパネルを清掃するための清掃モードを備え、清掃モードにおいて、タッチパネルの操作と、操作釦の操作によるアプリケーションの動作を禁止し、タッチ度数計数手段が計数した操作釦のタッチ度数が、所定の回数に達したときに、清掃モードを終了させる。
【００１３】
このような構成により、清掃モードではアプリケーションの動作が禁止されているので、使用者は操作釦のタッチによる誤動作を気にせずに操作釦の清掃が可能である。また、操作釦のタッチ回数が所定の回数に達するまで清掃するので十分な清掃ができる。
【００１４】
また本発明の情報端末装置では、操作釦は複数配置されており、タッチ度数計測手段が計数した複数の操作釦ごとのタッチ度数が、それぞれ所定の回数に達したときに、清掃モードを終了させる。
【００１５】
このような構成により、全ての操作釦の清掃が完了するまで、清掃を行えるので操作釦の汚れを均一にかつ、十分に清掃できる。
【００１６】
また本発明の情報端末装置では、操作釦ごとの所定回数は、清掃モードが開始された時点において、タッチ度数記憶手段に記憶された通常モード時の操作釦ごとのタッチ度数に基づいて決定されてもよい。
【００１７】
このような構成により、通常モード時にタッチ回数が多い（汚れ易い）操作釦ほど十分に清掃できるので効率のよい清掃が可能となる。
【００１８】
また本発明の情報端末装置では、清掃モードにおいて、複数の操作釦のうちの少なくとも１つが、所定の回数に達した時点以降において、所定の回数に達していない操作釦を表示部に表示してもよい。
【００１９】
このような構成により、使用者は清掃が不十分な操作釦を確認しながら清掃ができるので効率のよい清掃が可能である。
【００２０】
また本発明の情報端末装置では、清掃モードの終了は、複数の操作釦の２つ以上が同時に押下されたときに実行されるのが望ましい。
【００２１】
このような構成により、誤って隣接する釦が同時に押された場合にも清掃モードが終了されることがない。
【発明の効果】
【００２２】
本発明によれば、表示部の周辺に配置した複数の操作釦を、均一にかつ十分に清掃できる情報端末装置を提供することができる。
【発明を実施するための最良の形態】
【００２３】
以下、本発明の実施の形態について図面を参照しながら詳細に説明する。
【００２４】
（実施の形態）
図１は、本発明が適用されるタブレット型の情報端末装置１の外観図である。
【００２５】
表示部２は液晶表示素子（ＬＣＤ）であり、この表示部２の上面にタッチパネル３が備えられている。また図示していないが、情報端末装置１の裏面にはカメラが配置されており、このカメラは被写体の撮影やバーコードを読み取るために使用される。また、表示部２の周辺には操作釦４、５、６が配置されており、操作釦４は電源スイッチ、操作釦５はカメラ起動スイッチ、操作釦６はバーコードリーダー起動スイッチとしてそれぞれ機能する。さらに、これらの操作釦の上方にＬＥＤ（表示灯）７を備える。
【００２６】
通常、使用者は、操作釦４を押下して電源スイッチをＯＮにし、片手で本体を持ち、他方の指でタッチパネル３にタッチ、もしくは、操作釦４、５、６を押下して使用する。
【００２７】
図２は本実施の形態における情報端末装置１の電気的構成を示すブロック図である。図２において、ＣＰＵ１１は、情報端末装置１の処理全体を制御するプロセッサであり、相互に情報を交換するためのシステムバス１２を介してＨＤＤ（ハードディスクドライブ）１３に記憶されたＯＳ（オペレーティングシステム）および各種アプリケーションプログラムをメインメモリ（ＲＡＭ）１４にロードして実行する。
【００２８】
なお、ＣＰＵ１１の内部には、詳細を後述する汚れパターン作成部１１ａがソフトウェアの機能として備えられている。
【００２９】
ディスプレイコントローラ１５は、ＯＳやアプリケーションプログラムにより作成された画像データを、表示信号に変換して表示部２に出力する。
【００３０】
タッチパネルコントローラ１６は、タッチパネル３の操作を検知し、直接に、もしくは後述する処理を行って、ＣＰＵ１１に伝達する。この処理を実施する手段としてタッチ領域判定部１６ａと、タッチ度数計数部１６ｂと、タッチ度数記憶部１６ｃを備えている。
【００３１】
操作釦コントローラ１７は、操作釦４、５、６の操作を検知し、直接に、もしくは後述する処理を行って、ＣＰＵ１１に伝達する。この処理を実施する手段として、タッチ度数計数部１７ａと、タッチ度数記憶部１７ｂを備えている。
【００３２】
ネットワークインタフェース１８は、ＬＡＮ（ローカルエリアネットワーク）に接続するための端子や無線通信ユニットである。このネットワークインタフェース１８を通じてＬＡＮに接続されたデータサーバ（図示しない）から情報を収集する。
【００３３】
次に、本実施の形態におけるタッチパネル３の操作の例について説明する。
【００３４】
図３は、タッチパネル３の構成例を示す図である。この図３は、情報端末装置１を病院情報システムの端末装置として利用した場合の例を示している。
【００３５】
タッチパネル３上の操作キー３ａ〜３ｃは病院情報システムのサービスメニューを選択する操作キーで、図３は操作キー３ｃにタッチして「カルテ」のメニューが選択された状態である。
【００３６】
この状態では、患者の姓名を選択するための仮名パッド３ｅが画面に表示され、例えば「ま、つ、し、た、い、ち、ろ、う」とタッチすると氏名欄３ｆに患者名が表示され、操作キー（決定キー）３ｇにタッチすると、図示しないが患者のカルテが表示される。
【００３７】
なお、操作キー３ｄは後述するタッチパネル３を清掃モードにするための清掃キーである。
【００３８】
次に、図１〜図３を参照しながら図４〜図１１を用いて情報端末装置１の動作を説明する。
【００３９】
図４は、通常使用時（通常モード時）の動作を示すフローチャートである。ここでいう、通常使用時の動作とは情報端末装置１が病院システムを利用している状態でのタッチパネルコントローラ１６と操作釦コントローラ１７の動作である。
【００４０】
まず、タッチパネルコントローラ１６の動作としては、ステップＳ１において、操作キーのタッチを検知すると、ステップＳ２において、タッチ領域判定部１６ａはどの領域（キー）がタッチされたかを判定し、タッチ度数計数部１６ｂは、領域（キー）ごとのタッチ度数を計数（累積）して、タッチ度数記憶部１６ｃに記憶する。
【００４１】
次にステップＳ３において、累積のタッチ度数Ｎを求める。次にステップＳ４において累積のタッチ度数Ｎが所定値Ｋ１に達しているかを判断する。ステップＳ４において、累積のタッチ度数Ｎが所定値Ｋ１に達していない場合（Ｎ）はステップＳ１に戻り、ステップＳ１〜ステップＳ３の動作が繰り返される。ステップＳ４で累積のタッチ度数Ｎが所定値Ｋ１に達した場合（Ｙ）は、この情報がＣＰＵ１１に伝達され、ステップＳ５において、ＣＰＵ１１は、図５に示すようなスクリーン清掃が必要である旨のメッセージを作成し、表示部２に表示させる。
【００４２】
一方、操作釦コントローラ１７の動作としては、ステップＳ１１において、操作釦４、５、６の押下を検知し、ステップＳ１２において、タッチ度数計数部１７ａで操作釦ごとの押下度数を加算し、タッチ度数記憶部１７ｂに記憶する。
【００４３】
図５において、使用者がインストラクションキーをタッチすると図５（ｂ）のように清掃の手順が表示され、使用者はこの手順に従って、まずタッチパネル３を清掃し、次に周辺の操作釦４〜６を清掃して清掃を終了する。ここで、清掃は除菌剤を含んだクロス等を手でタッチパネルや操作釦に押し当てることで行う。
【００４４】
図６は、本実施の形態における情報端末装置１の清掃の一連の動作を示すフローチャートである。この一連の動作は、タッチパネルコントローラ１６と、操作釦コントローラ１７の情報に基づいてＣＰＵ１１が実行する。
【００４５】
清掃モードは、情報端末装置１の電源がＯＮの状態で実行され、図５の表示に示す「はい」のキーにタッチするか、もしくは、任意のタイミングにおいて、図３の操作キー（スクリーン清掃キー）３ｄにタッチすることによりスタートする。あるいは、図示していないが、表示部２の下部に清掃モードユーティリティを起動するためのアイコンを表示しておき、使用者がこのアイコンにタッチすることによりスタートしてもよい。さらには、清掃終了後からの経過時間をタイマーで計測しておき、所定の時間が経過したら自動的に図５の表示をさせて使用者に清掃を促すようにしてもよい。
【００４６】
まず、タッチパネルコントローラ１６を中心とするスクリーン（表示部）の清掃について説明する。ステップＳ２１において、ＣＰＵ１１は、実行中のアプリケーションをロックし、表示部２上のタッチパネル３の操作キーによるアプリケーションの操作が禁止される。これと同時に、周辺の操作釦４〜６もロックし、操作釦が押下されても反応しないよう設定される。
【００４７】
この状態を図７に示す。図７は、図３に示す画面の操作キー３ａ（本日診療）がタッチされ、予約の一覧が表示されている状況で、タッチ操作キー類の表示がされない状況を示している。
【００４８】
次にステップＳ２２において、汚れパターン作成部１１ａが図８（ａ）に示すような汚れパターンを作成する。この汚れパターンは、すべての領域において透明度の等しい半透明パターンである。この透明度は、任意に設定可能であり、予め設定された透明度でもよいし、図４で説明した領域ごとのタッチ度数の多さによって決定されてもよい。
【００４９】
すなわち、ＣＰＵ１１は、清掃モードがスタートした時点で、タッチパネルコントローラ１６にアクセスし、タッチ度数記憶部１６ｃに記憶されたタッチ度数に応じて透明度を決める。タッチ度数が大きい場合は透明度を低く（濁度が高い）、タッチ度数が小さい領域は透明度を高く（濁度が低い）設定する。ここでは、清掃前の汚れパターンの透明度は５０％として以下説明する。
【００５０】
次に、ステップＳ２３において、ＣＰＵ１１は、作成した汚れパターンを表示部２のアプリケーション画面に重畳して表示させる。この状態を図８（ｂ）に示す。図８（ｂ）は、図７のアプリケーション画面に図８（ａ）の汚れパターンを重ねた状態であって、アプリケーション画面を表示しながら、表面の汚れの程度を表現したものである。
【００５１】
次に、ステップＳ２４において、タッチパネルコントローラ１６は、パネルタッチの有無を検知する。清掃作業を行うことにより、パネルタッチが発生するのでこれを領域ごとに検知する。
【００５２】
検知した情報は、都度、ＣＰＵ１１に伝達され、次のステップＳ２５において、タッチ度数に応じて領域ごとの透明度が向上するように汚れパターンが修正され、表示部２に表示される。この清掃途中の状態を図９に示す。図９では、清掃が終了した領域２１は透明度が１００％となっており、清掃が終了していない領域２２は透明度が５０％のままである。これにより、ユーザーは清掃のできていない箇所を一目で確認できる。また、清掃済みか否かの判断は、タッチ度数によって判断してもよい。例えば、同じ領域が２回以上タッチ（清掃）されて始めて透明度を１００％にしてもよい。
【００５３】
次にステップＳ２６において、全ての領域において透明度が１００％になったかを判定する。透明度が１００％に達した時点で、次のステップＳ２７において図１０（ａ）に示すような、スクリーン清掃が終了したことを告知するメッセージを表示部２上に表示する。
【００５４】
スクリーンの清掃が終了すると、使用者は操作釦の清掃に移る。操作釦コントローラ１７を中心とする操作釦部の清掃モードの動作は、ステップＳ４１において、表示部２に操作釦の清掃を督促するメッセージ（図示しない）が表示される。次のステップＳ４２において、操作釦４〜６が押下されたかをチェックし、次のステップＳ４３において操作釦ごとに押下数をタッチ度数計数部１７ａがカウントする。次のステップＳ４４〜ステップＳ４６において、操作釦ごとの押下数ｎ１〜ｎ３がそれぞれの所定値（基準値）ｋ１〜ｋ３と比較される。
【００５５】
ここで、所定値ｋ１〜ｋ３は、図４のステップＳ１２において説明した操作釦ごとにタッチ度数記憶部１７ｂが記憶している押下度数に基づいて決定される回数値であって、記憶している押下度数が多いほど大きな値である。例えば、押下度数５００回ごとに所定値を１として決定される。これは、押下回数の多い操作釦ほど汚れているので、清掃時には、拭き取り回数をより多くする必要があるためである。例えば、押下回数が５００回以下の操作釦の拭き取り回数は１回でよいが、押下回数が５００回以上で１０００回未満は２回必要という具合に、押下回数によって拭き取り回数を増やすよう設定されている。なお、この押下回数や拭き取り回数はあくまで一例であり、本発明を限定するものではない。また、必ずしも押下回数によって拭き取り回数を変更せず、常に所定回数の拭き取りが行われると清掃を終了するようにしてもよい。
【００５６】
ステップＳ４４〜ステップＳ４６において、少なくとも操作釦の１個が、所定回数の押下を満足した場合は、図１０（ｂ）に示すようなメッセージが表示部２に表示してもよい。図１０（ｂ）は、電源釦が所定回数の拭き取りに達していないことを示している。これにより、使用者は、電源釦を重点に拭き取り作業を行うことで作業を効率化できる。
【００５７】
全ての操作釦の押下度数が所定値を満足すると、次のステップＳ４８において、ＬＥＤ７が点灯して、操作釦の清掃が終了したことを告知する。
【００５８】
次のステップＳ２８においては、スクリーンと操作釦の両方の清掃が終了したことをチェックし、終了準備のモードになり、次のステップＳ２９において、図１０（ｃ）に示すようなメッセージが表示部２に表示される。
【００５９】
次に、ステップＳ３０において、操作釦４〜６のいずれか２個、もしくは３個が同時に押下されたかをチェックし、次のステップＳ３１に移行する。
【００６０】
この場合、２個の釦の同時押しの終了操作は、離れた操作釦、すなわち、この場合は操作釦４と操作釦６であることが望ましい。
【００６１】
なお、操作釦は押下式の釦として説明を行なったが、これに限らず光学センサや感圧センサ等、操作を感知できる手段であれば本発明を実施することができる。
【００６２】
次のステップＳ３１においては、清掃モードの終了動作であり、情報端末装置１は、タッチパネル３と操作釦４〜６の受付禁止を解除し、ＬＥＤ７を消灯し、タッチ度数記憶部１６ｃとタッチ度数記憶部１７ｂに記憶されたタッチ度数をゼロにリセットする。図１１はアプリケーションの動作が復活した表示部の状態を示す図である。図１１に示すように、アプリケーションの動作が復活すると、診断予約一覧の下に操作キーが現れて、使用者はこの操作キーを操作して情報端末装置１の操作を再開する。
【００６３】
以上説明したように本発明の情報端末装置は、通常使用における操作釦のタッチ度数を操作釦ごとに記憶し、清掃モードが選択された場合に、拭き取り清掃に伴う操作釦のタッチ度数が、それぞれ記憶した操作釦のタッチ度数に応じた所定の回数に達したときに、清掃モードを終了させるようにしたものである。
【００６４】
これにより、使用者が意識することなく、自然に汚れの程度に応じた拭き取りを実行し、操作釦を均一にかつ十分に清掃することが可能となる。
【産業上の利用可能性】
【００６５】
本発明は、携帯型の情報端末装置のほか、据え置き型の情報端末装置、例えばパソコンなどのキーボードを有する装置に利用することが可能である。
【図面の簡単な説明】
【００６６】
【図１】本発明が適用されるタブレット型の情報端末装置の外観図
【図２】本発明の実施の形態における情報端末装置の電気的構成を示すブロック図
【図３】同情報端末装置のタッチパネル部の構成例を示す図
【図４】同情報端末装置の通常の動作を示すフローチャート
【図５】同情報端末装置の清掃が必要なことを告知する表示例を示す図
【図６】同情報端末装置の清掃の一連の動作を示すフローチャート
【図７】同情報端末装置のアプリケーションが休止された状態を示す図
【図８】同情報端末装置の汚れパターンおよびアプリケーション画面に汚れパターンを重畳した例を示す図
【図９】同情報端末装置の清掃途中の状態を示す図
【図１０】同情報端末装置の清掃が終了したことを告知する表示例を示す図
【図１１】同情報端末装置のアプリケーションが復活した表示部の状態を示す図
【符号の説明】
【００６７】
１    情報端末装置
２    表示部
３    タッチパネル
３ａ，３ｂ，３ｃ，３ｄ，３ｇ    操作キー
３ｅ    仮名パッド
３ｆ    氏名欄
４，５，６    操作釦
７    ＬＥＤ（表示灯）
１１    ＣＰＵ
１１ａ    汚れパターン作成部
１２    システムバス
１３    ＨＤＤ
１４    ＲＡＭ（メインメモリ）
１５    ディスプレイコントローラ
１６    タッチパネルコントローラ
１６ａ    タッチ領域判定部
１６ｂ，１７ａ    タッチ度数計数部
１６ｃ，１７ｂ    タッチ度数記憶部
１７    操作釦コントローラ
１８    ネットワークインタフェース
【図１】
2010039813.tif 000003
【図２】
2010039813.tif 000004
【図３】
2010039813.tif 000005
【図４】
2010039813.tif 000006
【図５】
2010039813.tif 000007
【図６】
2010039813.tif 000008
【図７】
2010039813.tif 000009
【図８】
2010039813.tif 000010
【図９】
2010039813.tif 000011
【図１０】
2010039813.tif 000012
【図１１】
2010039813.tif 000013